(57)【要約】【課題】天井パネルと壁面パネルとのビス止め作業をすることなく、簡易に連結固定可能なユニットルームの天井取付構造を提供する。【解決手段】対向する対となった両側パネル２ａとその両側パネル間に配設される中間パネル２ｂとでルーム空間を形成し、両側パネル２ａと中間パネル２ｂとの上端に、天井パネルを覆い被せて連結するユニットルームＲの天井取付構造において、上記両側パネル２ａと上記中間パネル２ｂの各々の外面における上端端縁に沿って設けられた天井パネル取付部４には、嵌合溝４ａを形成するとともに、上方が開口しこの嵌合溝４ａまで貫通する切欠溝４ｂを少なくとも上記両側パネル２ａ側に複数形成し、上記天井パネル１の周縁に設けられた枠体３には、上記天井パネル取付部４の切欠溝４ｂに挿入されるとともに天井パネル１を嵌合溝４ａに沿ってスライドさせると嵌合溝４ａに嵌入させる第１の係止突起３ａと中間パネル２ｂ側の嵌合溝４ａに嵌入させる第２の係止突起３ｂを設けたことを特徴とする。【選択図】図１
2006037474.tif 000002
【特許請求の範囲】
【請求項１】
対向する対となった両側パネルとその両側パネル間に配設される中間パネルとでルーム空間を形成し、両側パネルと中間パネルとの上端に、天井パネルを覆い被せて連結するユニットルームの天井取付構造において、
上記両側パネルと上記中間パネルの各々の外面における上端端縁に沿って設けられた天井パネル取付部には、嵌合溝を形成するとともに、上方が開口しこの嵌合溝まで貫通する切欠溝を少なくとも上記両側パネル側に複数形成し、
上記天井パネルの周縁に設けられた枠体には、上記天井パネル取付部の切欠溝に挿入されるとともに天井パネルを嵌合溝に沿ってスライドさせると嵌合溝に嵌入させる第１の係止突起と中間パネル側の嵌合溝に嵌入させる第２の係止突起を設けたことを特徴とする、ユニットルームの天井取付構造。
【請求項２】
請求項１において、
上記天井パネルは、それぞれの結合辺に連結部を設けた２枚のパネル板で構成されていることを特徴とする、ユニットルームの天井取付構造。
【請求項３】
請求項１において、
上記天井パネルは、それぞれの対向する１組の結合辺に連結部を設けた１以上の中間パネル板と、中間パネル板の連結部と連結される結合辺に連結部を設けた２枚の端パネル板とを組み合わせて構成されている、ユニットルームの天井取付構造。
【請求項４】
請求項１乃至３のいずれかにおいて、
上記天井パネルの周縁と上記壁面パネルの上端とで形成される隙間には、乾式目地を嵌装する構造にしていることを特徴とする、ユニットルームの天井取付構造。
【発明の詳細な説明】
【技術分野】
【０００１】
本発明は、浴室ユニットやシャワールーム等のユニットルームの天井取付構造に関する。
【背景技術】
【０００２】
従来より、図８に示すように、壁面パネル２００の上端に取着された立上片２００ａに、天井パネル１００の端部に垂下形成された垂下片１００ａを覆い被さるように戴置し、ユニットルームの内側から、立上片２００ａを垂下片１００ａにビス３００止め固定して連結し、天井パネル１００と壁面パネル２００の上端との間にできる空所に、ビス隠し及び防水処理として廻縁４００を圧入嵌合する天井取付構造が提案されている。
上述のような従来のビス止めによるユニットルームの天井取付構造については、下記特許文献１から３にも開示され、提案されている。
【０００３】
【特許文献１】特開２００１−２０４４４号公報
【特許文献２】特開２００２−８１２１９号公報
【特許文献３】特開平１１−１２４９４８号公報
【発明の開示】
【発明が解決しようとする課題】
【０００４】
しかしながら、このような従来の天井取付構造では、固定するためのビス３００は、一坪タイプのユニットルームあたり３０本程度必要とし、天井パネル１００と壁面パネル２００との間にできる狭い空所におけるビス止め作業となるため、ビス３００の本数が多い程、施工に時間と手間がかかっていた。
【０００５】
本発明は上記問題点に鑑みなされたものであり、天井パネルと壁面パネルとのビス止め作業をすることなく、簡易に連結固定可能なユニットルームの天井取付構造を提供するものである。
【課題を解決するための手段】
【０００６】
上記目的を達成するために、本発明の請求項１では、対向する対となった両側パネルとその両側パネル間に配設される中間パネルとでルーム空間を形成し、両側パネルと中間パネルとの上端に、天井パネルを覆い被せて連結するユニットルームの天井取付構造において、上記両側パネルと上記中間パネルの各々の外面における上端端縁に沿って設けられた天井パネル取付部には、嵌合溝を形成するとともに、上方が開口しこの嵌合溝まで貫通する切欠溝を少なくとも上記両側パネル側に複数形成し、上記天井パネルの周縁に設けられた枠体には、上記天井パネル取付部の切欠溝に挿入されるとともに天井パネルを嵌合溝に沿ってスライドさせると嵌合溝に嵌入させる第１の係止突起と中間パネル側の嵌合溝に嵌入させる第２の係止突起を設けたことを特徴とする、ユニットルームの天井取付構造を提案する。
【０００７】
請求項２では、請求項１において、上記天井パネルは、それぞれの結合辺に連結部を設けた２枚のパネル板で構成されていることを特徴とする、ユニットルームの天井取付構造を提案する。
【０００８】
請求項３では、請求項１において、それぞれの対向する１組の結合辺に連結部を設けた１以上の中間パネル板と、中間パネル板の連結部と連結される結合辺に連結部を設けた２枚の端パネル板とを組み合わせて構成されている、ユニットルームの天井取付構造を提案する。
【０００９】
請求項４では、請求項１乃至３のいずれかにおいて、上記天井パネルの周縁と上記壁面パネルの上端とで形成される隙間には、乾式目地を嵌装する構造にしていることを特徴とする、ユニットルームの天井取付構造を提案する。
【発明の効果】
【００１０】
本発明の請求項１によれば、両側パネルと中間パネルの各々の外面における上端端縁に沿って設けられた天井パネル取付部には、嵌合溝を形成するとともに、上方が開口しこの嵌合溝まで貫通する切欠溝を少なくとも両側パネルに複数形成し、天井パネルの周縁に設けられた枠体には天井パネル取付部の切欠溝に挿入されるとともに天井パネルを嵌合溝に沿ってスライドさせると嵌合溝に嵌入させる第１の係止突起と中間パネルの嵌合溝に嵌入させる第２の係止突起を設けた構造としているので、ビス止めすることなく、天井パネルと壁面パネルとを連結することができ、施工性を高めることができる。
また、両側パネルの切欠溝から天井パネルの第１の係止突起を嵌入させ、中間パネルの嵌合溝に第２の係止突起を嵌入させた後、切欠溝の位置から天井パネルを嵌合溝に沿って、水平方向にスライド（平行移動）させると、第１の係止突起が切欠溝から抜け出るおそれがなく、上下方向に動かなくなり、簡易な構成でしっかりと天井パネルと壁面パネルとを保持固定することができる。
【００１１】
請求項２によれば、天井パネルは、それぞれの結合辺に連結部を設けた２枚のパネル板で構成されているので、連結部をビス止めすれば、水平方向へ動かなくなり、簡易な構成でしっかりと天井パネルと壁面パネルとを保持固定することができる。
また、ユニットルームが例えば大型サイズであっても、天井パネルは２枚のパネル板で構成されるので、施工の際にパネルの持ち運びが容易で取付作業も楽に行うことができる。
【００１２】
請求項３によれば、天井パネルは、それぞれの対向する１組の結合辺に連結部を設けた１以上の中間パネル板と、中間パネル板の連結部と連結される結合辺に連結部を設けた２枚の端パネル板とを組み合わせて構成されているので、連結部をビス止めすれば、水平方向へ動かなくなり、簡易な構成でしっかりと天井パネルと壁面パネルとを保持固定することができる。
また、ユニットルームが例えば大型サイズであっても、天井パネルは３枚以上のパネル板に分割して構成されるので、施工の際にパネルの持ち運びが容易で取付作業も楽に行うことができる。
【００１３】
請求項４では、天井パネルの周縁と壁面パネルの上端とで形成される隙間には、乾式目地を嵌装する構造にしているので、より一層しっかりと天井パネルと壁面パネルとを保持固定することができ、ユニットルームの内側からの見栄えもよく、防水処理もできる。
【発明を実施するための最良の形態】
【００１４】
以下、図とともに本発明の実施の形態について説明する。
【実施例１】
【００１５】
図１は本発明の天井取付構造が採用されたユニットルームの要部拡大斜視図、図２はその全体模式図、図３（ａ）は天井パネルの平面透視図、（ｂ）は壁面パネルの平面図である。
これらの図において、Ｒはユニットルーム、１は天井パネル、２は壁面パネル、３は天井パネルの周縁に形成され、第１の係止突起３ａと第２の係止突起３ｂとが設けられている枠体、４は嵌合溝４ａと切欠溝４ｂとが設けられている天井パネル取付部、５は天井パネル１が２枚以上のパネル板を連結して構成される場合に、パネル板同士をビスで連結固定するための起立片である連結部を構成している。
また、ユニットルームＲを構成する壁面パネル２は、対向する一組の両側パネルを２ａとし、その間の中間パネルを２ｂで示している。
ここで枠体３及び天井取付部４は一体成型されるものに限らず、別体で成型し組み合わせたものであってもよい。
【００１６】
本実施例では、天井パネル１は主に２枚で構成される例を示しているが、これに限らず、１若しくは２以上の複数枚のパネル板を連結して構成されるものでもよい。
一枚の場合は、少なくとも壁面パネル２の上端３辺にのみ後述する嵌合溝４ａや切欠溝４ｂを形成し、他端は公知の方法で天井パネル１を固定し、乾式目地やコーキング材を用いて防水連結をすればよい。２枚以上の場合は、後述するように壁面パネル２の上端と当接する辺に嵌合溝４ａや切欠溝４ｂを形成すればよい。
【００１７】
ここで、天井パネル１は鋼板を折曲加工して形成したり、或いは成型された合成樹脂パネルで構成され、この天井パネル１の裏側面には、石膏ボード、グラスウールボード等でなる断熱材等（不図示）が貼着される。
一方の壁面パネル２は、鋼、アルミニウム等の金属板を表面処理して化粧面を形成したり、セメント、セラミックの基材等に、天然、人造石等を貼付し、表面処理して形成されている。
【００１８】
本発明のユニットルームＲは、例えば浴室やシャワールーム等を構成するものであり、その天井取付構造は、床パン（不図示）の四方に立設されルーム空間を形成すべく壁面パネル２の上端に、天井パネル１を覆い被せて連結固定されるものである。
壁パネル２（両側パネル２ａ及び中間パネル２ｂ）の上端端縁には、天井パネル取付部４（横桟部材）が設けられており、この天井パネル取付部４は上端端縁に沿って長手方向に嵌合溝４ａを形成するとともに、上方が開口しこの嵌合溝４ａまで貫通する切欠溝４ｂを少なくとも両側パネル２ａ側に複数形成した構造としている。
一方の天井パネル１の周縁には枠体３が設けられ、上記天井パネル取付部４の切欠溝４ｂに挿入されるとともに、天井パネル１を嵌合溝４ａに沿ってスライドさせると嵌合溝４ａに嵌入される第１の係止突起３ａを設けるとともに、天井パネル取付部４の（中間パネル２ｂ側）嵌合溝４ａに嵌入させる第２の係止突起３ｂを設けられている。
【００１９】
このような構造によれば、枠体３に設けられた第１の係止突起３ａ及び第２の係止突起３ｂを、天井パネル取付部４の嵌合溝４ａに係合させて連結固定できるため、ビス止めすることなく、天井パネル１と壁面パネル２とを固定連結することができ、施工性を高めることができる。
なお、図では、天井パネル取付部４に形成される切欠溝４ｂは上方側のみを開口させる構成としているが、下方側も開口させたものでもよい。これによれば、壁面パネル２に天井取付部４を取着させる際、上下方向を気にせずに取着させることができる。
また本発明によれば、その構造上、中間パネル２ｂの切欠溝４ｂは不要であるが、図においては、中間パネル２ｂ側にも切欠溝４ｂを形成した例を示している。これによれば、壁面パネル２の天井パネル取付部４を両側パネル２ａに取着するものと中間パネル２ｂに取着するものとを共通に構成でき、部品点数が軽減できる。
【００２０】
図４、図５は本発明の天井取付構造の施工手順を示す断面模式図、図６は、その平面図である。なお、枠体３及び天井パネル取付部４の形状は図に示すものに限られず、互いが係合し合う形状であればよい。
図において、６は乾式目地である。その他、図において共通する部分には共通する符号を付し、その説明は割愛する。また図６において天井パネル１は、第２の係止突起３ａ、３ｂを表すため、透視図で示している。
本発明の天井取付構造は、まず立設された壁面パネル２の上端部を覆い被せるように天井パネル１を載置し、壁面パネル２の段になって形成される嵌合溝４ａと天井パネル１の枠体３に形成される第２の係止突起３ａ、３ｂとを係合させることにより天井パネル１と壁面パネル２とが連結固定される。取付後は、ユニットルームＲの内側に形成される天井パネル１の周縁と壁面パネル２の上端との隙間に、乾式目地６を嵌装する。
取付後、乾式目地を嵌装することにより、より一層しっかりと天井パネル１と壁面パネル２とを保持固定することができ、ユニットルームＲの内側からの見栄えもよく、防水処理もできる。
【００２１】
図４は、壁面パネル２のうち、両側パネル２ａ側の断面模式図であり、図４（ａ）は天井パネル１を壁面パネル２の上端に取付ける要領を示しており、図４（ｂ）は取付後の状態を示している。
天井パネル１の両側パネル２ａの上端に対応する枠体３には、天井パネル取付部４の切欠溝４ｂに挿入される対応した第１の係止突起３ａが設けられてる。
天井パネル１は、壁面パネル２の切欠溝４ｂから天井パネル１の第１の係止突起３ａを挿入し、係合させた後、切欠溝４ｂの位置から天井パネル１を嵌合溝４ａに沿って、水平方向にスライド（平行移動）させることにより、壁面パネル２と連結固定される。
【００２２】
図５は、壁面パネル２のうち、中間パネル２ｂ側の断面模式図であり、図５（ａ）は天井パネル１の位置合わせ完了後、図５（ｂ）は天井パネル１をスライドした後、図５（ｃ）は天井パネル１の取付後に乾式目地６を嵌装した状態を示している。
天井パネル１の中間パネル２ｂの上端に対応した枠体３には、天井パネル取付部４の嵌合溝４ａに嵌入させる第２の係止突起３ｂが設けられている。
よって、嵌合溝４ａと第１の係止突起３ａとが係合することにより、天井パネル１の位置合わせがなされ、その後、天井パネル１がスライドされると、中間パネル２ｂ側の嵌合溝４ａと第２の係止突起３ｂとが係合し、天井パネル１と壁面パネル２が連結固定される。
【００２３】
図６（ａ）は天井パネル１の両側を、壁面パネル２の両側パネル２ａに位置合わせし被せた状態（スライドさせる前）の平面図、図６（ｂ）は天井パネル１を更に係合方向にスライドさせた後の平面図である。
図６（ａ）に示すように、天井パネル１を壁面パネル２の両側パネル２ａに被せて、両側パネル２ａ側の切欠溝４ｂに第１の係止突起３ａを挿入された状態から天井パネル１を壁面パネル２側にスライドさせると、図６（ｂ）に示すように、第１の係止突起３ａは切欠溝４ｂからずれて係合するため、天井パネル１が壁面パネル２に対して上下方向に動くことが阻止され、天井パネル１は壁面パネル２に対して強固に保持固定される。
【００２４】
図７（ａ）は天井パネル１を２枚のパネル板で構成した例、図７（ｂ）は天井パネル１を３枚のパネル板で構成した例の各々断面図を示している。
図７（ａ）に示す天井パネル１は、相互に突合わせて連設される結合辺に連結部５、５を設けた２枚のパネル板Ｐ１、Ｐ２で構成される。
立設した壁面パネル２の上端に、パネル板Ｐ１、Ｐ２を対向する方向から被せて、パネル板Ｐ１、Ｐ２を連結部５、５が互いに接近する方向にスライドさせ、突き合わせた後に（１、２）、起立片からなる双方の連結部５、５のビス挿通孔（不図示）にビス７を螺装し固定する（３）。
【００２５】
また、図７（ｂ）に示す天井パネル１は、３枚のパネル板で構成され、この場合は、パネル板同士が連設され対向する１組の結合辺に連結部５を設けた中間パネル板Ｐ２と、中間パネル板Ｐ２の連結部５と連結される結合辺に連結部５を設けた２枚の端パネル板Ｐ１、Ｐ３とを組み合わせて構成される。
立設した壁面パネル２の上端に天井パネル１は、３枚のパネル板Ｐ１’、Ｐ２’、Ｐ３’で構成される。この場合は中間に存在するパネル板Ｐ２’には、端パネル板Ｐ１’、Ｐ３’に設けたような第１の係止突起３ａは設けられていない。
このような構造では、立設した壁面パネル２の上端に端パネル板Ｐ１’、Ｐ３’をスライドさせ順次取り付けた後（１、２）、中間パネル板Ｐ２’を取り付け（３）、起立片からなる連結部５の各々のビス挿通孔（不図示）にビス７を螺装し固定する（４、５）。
【００２６】
上述のような構造によれば、分割構成された天井パネル１を取り付ける場合であっても、連結部で連結固定されるので、水平方向へのあそびがなく、水平方向・垂直方向のどちらにも動かなくなり、しっかりと天井パネル１と壁面パネル２とを保持固定することができる。
また、ユニットルームＲが例えば大型サイズであっても、天井パネル１がパネル板に分割して構成されるので、施工の際にパネルの持ち運びが容易で取付作業も楽に行うことができる。
なお、図においては取付手順を丸で囲んだ数字で付記しているが、これに限られるものではない。
【図面の簡単な説明】
【００２７】
【図１】本発明の天井取付構造が採用されたユニットルームの要部拡大斜視図である。
【図２】本発明の天井取付構造が採用されたユニットルームの模式図である。
【図３】（ａ）天井パネルの平面図（ｂ）壁面パネルの平面図である。
【図４】本発明の天井取付構造の取付状態を示す断面図である。
【図５】本発明の天井取付構造の取付状態を示す断面図である。
【図６】本発明の天井取付構造の取付状態を示す平面図である。
【図７】本発明に採用可能な天井パネルの構成例を示す断面図である。
【図８】従来のユニットルームの天井取付構造を示す要部拡大断面図である。
【符号の説明】
【００２８】
Ｒ      ユニットルーム
１      天井パネル
２      壁面パネル
３      枠体
３ａ    第１の係止突起
３ｂ    第２の係止突起
４      天井パネル取付部
４ａ    嵌合溝
４ｂ    切欠溝
【図１】
2006037474.tif 000003
【図２】
2006037474.tif 000004
【図３】
2006037474.tif 000005
【図４】
2006037474.tif 000006
【図５】
2006037474.tif 000007
【図６】
2006037474.tif 000008
【図７】
2006037474.tif 000009
【図８】
2006037474.tif 000010